(57)【要約】【課題】着脱が簡単で確実な磁気ディスク装置の取付構造を提供する。【解決手段】インターフェース・コネクタ２２１に接続可能な装置用コネクタ１２５を有する。クランパ１０７ｂは固定位置（Ｃ）と開放位置（Ａ、Ｂ）の間を移動してハウジングの端部を固定または開放する。レバー１１１は、磁気ディスク装置２００を取付構造内１００に押し込んだときに、コネクタ２２１とコネクタ１２５が接続されるまではクランパを開放位置に位置づける（Ｂ）。クランパ１１１は、コネクタ２２１とコネクタ１２５が接続された後はクランパ１０７ｂを固定位置（Ｃ）に位置づける。【選択図】図７
2006172675.tif 000002
【特許請求の範囲】
【請求項１】
記録媒体とインターフェース・コネクタとハウジングを含む回転円板形記憶装置の着脱及び前記インターフェース・コネクタの挿抜が可能な取付構造であって、
前記インターフェース・コネクタに接続可能な装置用コネクタと、
前記回転円板形記憶装置の前記取付構造内における位置を定めるガイドと、
前記記録媒体の垂直方向において固定位置と開放位置の間を移動して前記ハウジングの端部を固定または開放するクランパと、
前記回転円板形記憶装置を前記取付構造内に押し込んだときに前記インターフェース・コネクタと前記装置用コネクタが接続されるまでは前記クランパを前記開放位置に位置づけ、前記インターフェース・コネクタと前記装置用コネクタが接続された後は前記クランパを前記固定位置に位置づけることができるレバーと
を有する取付構造。
【請求項２】
前記インターフェース・コネクタと前記装置用コネクタが接続された状態で前記レバーは前記クランパを前記開放位置に位置づけることができる請求項１記載の取付構造。
【請求項３】
前記レバーは、前記クランパを開放位置に位置づけながら前記回転円板形記憶装置を引き出すことができる請求項１記載の取付構造。
【請求項４】
前記回転円板形記憶装置を前記取付構造から引き出す方向に前記レバーを操作したとき前記ハウジングに前記レバーの力を伝えるプッシャを有する請求項３記載の取付構造。
【請求項５】
前記クランパは弾性体により前記記録媒体と垂直な方向に押し付けられている請求項１記載の取付構造。
【請求項６】
前記レバーはレバー貫通開口を備え、前記クランパは底部が前記レバーのボディに接触する位置又は前記レバー貫通開口の中に入り込む位置の間で移動してそれぞれ前記開放位置又は前記固定位置を構成する請求項５記載の取付構造。
【請求項７】
前記クランパは底部に傾斜面を備え、該傾斜面が前記レバー貫通開口の縁をスライドして前記クランパが前記開放位置と前記固定位置の間を移動する請求項５記載の取付構造
【請求項８】
前記クランパは、前記回転円板形記憶装置の一方の端部を固定する第１のクランパと他方の端部を固定する第２のクランパで構成され、前記第１のクランパは前記ハウジングに対して傾斜面で接触して前記記録媒体に対して垂直な方向の力と水平な方向の力を前記ハウジングに与え、前記第２のクランパは前記記録媒体に対して垂直な方向の力を前記ハウジングに与える請求項１記載の取付構造。  
【請求項９】
前記レバーの把持部の下部に形成されたレバー位置指示部を有する請求項１記載の取付構造。
【請求項１０】
前記インターフェース・コネクタが前記ハウジングの前記記録媒体に垂直な面側に形成されている請求項１記載の取付構造。
【請求項１１】
前記装置用コネクタが前記回転円板形記憶装置を試験するための試験用コンピュータに接続が可能な請求項１記載の取付構造。
【請求項１２】
前記回転円板形記憶装置が磁気ディスク装置である請求項１記載の取付構造。
【請求項１３】
記録媒体とインターフェース・コネクタとハウジングを含む回転円板形記憶装置の着脱及び前記インターフェース・コネクタの挿抜が可能な取付構造であって、
前記インターフェース・コネクタに接続可能な装置用コネクタと、
前記回転円板形記憶装置を前記取付構造の中に押し込むときに前記インターフェース・コネクタと前記装置用コネクタの位置合わせをするガイド手段と、
前記記録媒体の垂直方向に弾力が付与され固定位置と開放位置の間を移動して前記ハウジングを固定または開放する固定手段と、
前記回転円板形記憶装置を前記取付構造内に押し込んだときに前記インターフェース・コネクタと前記装置用コネクタが接続されるまでは前記固定手段を前記開放位置に位置づけ、前記インターフェース・コネクタと前記装置用コネクタが接続された後は前記固定手段を前記固定位置に位置づけることができる操作手段と
を有する取付構造。
【請求項１４】
前記インターフェース・コネクタと前記装置用コネクタが接続された状態で前記操作手段を操作したとき前記固定手段が前記開放位置に移動する請求項１３記載の取付構造。
【請求項１５】
インターフェース・コネクタを備える回転円板形記憶装置の試験用チャンバであって、
前記回転円板形記憶装置の着脱及び前記インターフェース・コネクタの挿抜が可能な複数の取付構造と、
前記複数の取付構造を支持するフレームと、
前記各取付構造を前記フレームに固定するためのダンパとを有し、前記取付構造が、
前記インターフェース・コネクタに接続可能な装置用コネクタと、
前記回転円板形記憶装置の前記取付構造内における位置を定めるガイドと、
前記記録媒体の垂直方向において固定位置と開放位置の間を移動して前記ハウジングの端部を固定または開放するクランパと、
前記回転円板形記憶装置を前記取付構造内に押し込んだときに前記インターフェース・コネクタと前記装置用コネクタが接続されるまでは前記クランパを前記開放位置に位置づけ、前記インターフェース・コネクタと前記装置用コネクタが接続された後は前記クランパを前記固定位置に位置づけることができるレバーと
を有する試験用チャンバ。
【請求項１６】
記録媒体とインターフェース・コネクタとハウジングを含む回転円板形記憶装置をレバーとクランパと装置用コネクタとガイドを備える取付構造に取り付けて前記インターフェース・コネクタを前記装置用コネクタに接続し、さらに前記回転円板形記憶装置を取り外す着脱方法であって、
前記クランパを開放位置に位置づけるステップと、
前記クランパが開放位置に位置づけられている間、前記回転円板形記憶装置を前記ガイドに沿って前記記録媒体と平行な方向に押し込み前記インターフェース・コネクタと前記装置用コネクタを接続するステップと、
前記接続するステップに続いて、前記レバーを操作して前記クランパを固定位置に移動させ前記回転円板形記憶装置のハウジングを前記ガイド部に押し付けるステップと、
前記インターフェース・コネクタと前記装置用コネクタが接続されている間、前記レバーを操作して前記クランパによる前記ハウジングの押し付けを停止するステップと
を有する着脱方法。
【請求項１７】
前記停止するステップに続いて、前記レバーを操作して前記インターフェース・コネクタと前記装置用コネクタを引き離し、前記回転円板形記憶装置を前記取付構造から引き出すステップと
を有する請求項１６記載の着脱方法。
【請求項１８】
前記押し付けるステップが、前記クランパが前記ハウジングの端部を弾力的に押し付けるステップを含む請求項１６記載の着脱方法。
【発明の詳細な説明】
【技術分野】
【０００１】
本発明は、磁気ディスク装置又は光磁気ディスク装置などの回転円板形記憶装置を外部のコネクタに接続する際に使用する取付構造に関する。
【背景技術】
【０００２】
回転円板形記憶装置の一例である磁気ディスク装置は、部品を組み立てた後に外部の試験装置に接続して動作試験をしたり、各種パラメータの設定または調整をしたりする。大量生産にかかる磁気ディスク装置では、一度に大量の磁気ディスク装置を試験用チャンバに取り付けてインターフェース・コネクタをチャンバの装置用コネクタに接続し、装置用コネクタと試験用コンピュータを接続して行われている。試験用チャンバには、個々の磁気ディスク装置を固定し、試験装置に接続されたチャンバの試験用コネクタと磁気ディスク装置のインターフェース・コネクタを接続するための取付構造が設けられている。
【０００３】
動作中の磁気ディスク装置の内部では、磁気ディスクが高速回転したり、キャリッジ・アセンブリが回動動作を繰り返したりしているため、磁気ディスク装置の外側を構成するハウジングには振動が発生する。磁気ディスク装置のハウジングが振動すると、試験動作中にヘッドを所定のトラックに位置づける性能が低下し、不必要なエラーが発生して適切な試験を行うことができない。また、チャンバには大量の磁気ディスク装置を収納しているため、合成された他の試験装置の振動が各磁気ディスク装置に影響を与えることを防ぐ必要もある。
【０００４】
磁気ディスク装置のベース・カバーは一般に薄い鋼板で形成されており、外部から力を加えると内側にたわんで磁気ディスクその他の部品に接触したりすることがある。磁気ディスク装置を試験用チャンバ内で固定する方法としては、磁気ディスク装置を実際に使用するときの固定に使用するネジを利用することが考えられる。しかし、ネジで固定すると着脱に時間を費やして生産性が低下する。また、試験用チャンバでは、磁気ディスク装置のインターフェース・コネクタとチャンバの装置用コネクタを確実に接続する必要がある。
【０００５】
特許文献１は、ＨＤＤを情報記憶手段として搭載ユニット化し、着脱可能に組み込む電子機器において、ＨＤＤのヘッド位置決め時の振動に係わる位置決め性能と冷却性能の向上を目的とした磁気ディスク装置搭載構造を開示する。特開２００４−２１３８１７号公報は、シールドされた電子機器が固定された状態で十分な耐振動衝撃性能を備えるとともに、これを簡単に取り出すことができ、メンテナンスでの作業効率が良いキャビネット装置を開示する。特許文献３は、ユニットを装置本体に対して着脱する場合、工具を必要とすることなく、極めて容易に行える様にして、作業工数を低減した電子機器ユニット取付構造を提供する。
【特許文献１】特開２００２−８３５８号公報
【特許文献２】特開２００４−２１３８１７号公報
【特許文献３】特開２００３−１９８１５３号公報
【発明の開示】
【発明が解決しようとする課題】
【０００６】
そこで本発明の目的は、回転円板形記憶装置を短時間で着脱できる取付構造を提供することにある。さらに、本発明の目的は、磁気ディスク装置を確実に固定する取付構造を提供することにある。さらに本発明の目的は、インターフェース・コネクタを確実に接続することができる取付構造を提供することにある。さらに本発明の目的は、そのような取付構造を適用した回転円板形記憶装置の試験用チャンバおよび着脱方法を提供することにある。
【課題を解決するための手段】
【０００７】
本発明の第１の態様は、記録媒体とインターフェース・コネクタとハウジングを含む回転円板形記憶装置の着脱及び前記インターフェース・コネクタの挿抜が可能な取付構造であって、前記インターフェース・コネクタに接続可能な装置用コネクタと、前記回転円板形記憶装置の前記取付構造内における位置を定めるガイドと、前記記録媒体の垂直方向において固定位置と開放位置の間を移動して前記ハウジングの端部を固定または開放するクランパと、前記回転円板形記憶装置を前記取付構造内に押し込んだときに前記インターフェース・コネクタと前記装置用コネクタが接続されるまでは前記クランパを前記開放位置に位置づけ、前記インターフェース・コネクタと前記装置用コネクタが接続された後は前記クランパを前記固定位置に位置づけることができるレバーとを有する取付構造を提供する。
【０００８】
レバーは、回転円板形記憶装置を取付構造内に押し込んだときにインターフェース・コネクタと装置用コネクタが接続されるまではクランパを開放位置に位置づけるため、回転円板形記憶装置を取付構造に挿入してインターフェース・コネクタの接続を行うときにクランパは障害とならず、インターフェース・コネクタと装置用コネクタを確実に接続することができる。
【０００９】
レバーは、インターフェース・コネクタと装置用コネクタが接続された後はクランパを固定位置に位置づけるようにすることができる。よって、レバーの操作で短時間に回転円板形記憶装置の固定ができる。レバーは、インターフェース・コネクタと装置用コネクタが接続された状態でクランパを開放位置に位置づけるようにすることができる。よって、回転円板形記憶装置を取付構造から取り外すときクランパが障害にならないようにすることができる。レバーは、クランパを開放位置に位置づけながら回転円板形記憶装置を引き出すようにすることができる。よって、レバーの操作だけでインターフェース・コネクタの分離と回転円板形記憶装置の引き出しまでを短時間で行うことができる。
【００１０】
クランパは弾性体により前記記録媒体と垂直な方向に押し付けられている構成でもよい。クランパをレバーのボディに形成されたレバー貫通開口を利用して固定位置と開放位置を移動するように構成することができる。クランパは底部がレバーのボディに接触する位置又はレバー貫通開口の中に入り込む位置の間で移動するようにしてもよい。クランパは底部に傾斜面を備え、傾斜面がレバー貫通開口の縁をスライドしてクランパが開放位置と固定位置の間を移動するようにしてもよい。
【００１１】
クランパは、前記回転円板形記憶装置の一方の端部を固定する第１のクランパと他方の端部を固定する第２のクランパで構成することができる。第１のクランパはハウジングに対して傾斜面で接触して前記記録媒体に対して垂直な方向の力と水平な方向の力をハウジングに与える。第２のクランパは記録媒体に対して垂直な方向の力をハウジングに与える。このような構造により、上下方向、左右方向において回転円板形記憶装置を固定構造に確実に固定することができる。レバーの把持部の下部にレバー位置指示部を形成すると、クランパの固定位置または開放位置に関連したレバーの位置を容易に視認できる。また、レバー位置指示部をレバーの支持構造として利用することができる。
【００１２】
本発明の第２の態様は、記録媒体とインターフェース・コネクタとハウジングを含む回転円板形記憶装置をレバーとクランパと装置用コネクタとガイドを備える取付構造に取り付けて前記インターフェース・コネクタを前記装置用コネクタに接続し、さらに前記回転円板形記憶装置を取り外す着脱方法であって、前記クランパを開放位置に位置づけるステップと、前記クランパが開放位置に位置づけられている間、前記回転円板形記憶装置を前記ガイドに沿って前記記録媒体と平行な方向に押し込み前記インターフェース・コネクタと前記装置用コネクタを接続するステップと、前記接続するステップに続いて、前記レバーを操作して前記クランパを固定位置に移動させ前記回転円板形記憶装置のハウジングを前記ガイド部に押し付けるステップと、前記インターフェース・コネクタと前記装置用コネクタが接続されている間、前記レバーを操作して前記クランパによる前記ハウジングの押し付けを停止するステップとを有する着脱方法を提供する。
【発明の効果】
【００１３】
本発明により、回転円板形記憶装置を短時間で着脱できる取付構造を提供することができた。さらに、本発明により、磁気ディスク装置を確実に固定する取付構造を提供することができた。さらに本発明により、インターフェース・コネクタを確実に接続することができる取付構造を提供することができた。さらに本発明により、そのような取付構造を適用した回転円板形記憶装置の試験用チャンバおよび着脱方法を提供することができた。
【発明を実施するための最良の形態】
【００１４】
図１は、本発明の実施の形態にかかる取付構造１００およびこれに取り付けられる磁気ディスク装置２００の斜視図である。フレーム１０１は、１対の側壁１０２ａ、１０２ｂ、１対のレール１０４ａ、１０４ｂ、レバー１１１を含んでいる。フレーム１０１には、上部に１対の上部枠１０３ａ、１０３ｂが取り付けられ、さらに回路基板１２３が取り付けられている。回路基板１２３には、装置用コネクタ１２５、装置用コネクタ１２５に接続されるプラグ１２７が取り付けられている。プラグ１２７は、配線１２９で試験用コンピュータに接続されている。
【００１５】
磁気ディスク装置２００は内部に磁気ディスク２０５を収納し外部がハウジングで覆われ、参照番号２０１で示したハウジングの面側に装置用コネクタ１２５に接続可能なインターフェース・コネクタ（図示せず。）が取り付けられている。最初に、磁気ディスク装置２００を取付構造１００に取り付けてインターフェース・コネクタと装置用コネクタ１２５を接続するときの概要を説明する。磁気ディスク装置２００を取付構造１００のレール１０４ａ、１０４ｂの上に載せて矢印２０２の方向に押し込んで、インターフェース・コネクタと装置用コネクタ１２５を接続する。
【００１６】
つぎに、レバー１１１を矢印２０２の方向に押し込んでクランパ（図示せず。）を動作させてハウジングの固定部２０３ａ、２０３ｂを上から押さえてフレーム１０１とクランパで挟んで固定する。磁気ディスク装置２００を取付構造１００から取り外すときは、レバー１１１を矢印２０４の方向に引き出して磁気ディスク装置２００を固定しているクランパを開放し、さらに、レバー１１１で磁気ディスク装置２００を取付構造１００の外部に引き出す。矢印２０２、２０４の方向は、磁気ディスク装置２００のハウジング内部に収納される記録媒体である磁気ディスク２０５に平行な方向となっている。
【００１７】
以下、図２ないし図６を参照して取付構造１００を詳細に説明する。図２は取付構造１００の分解斜視図であり、図３はプッシャ１０５の平面図であり、図４はクランパとレバーの動作関係を説明する図であり、図５は、クランパが磁気ディスク装置を固定する状態を説明する図であり、図６はレバー位置指示部の作用を説明する図である。
【００１８】
図２において、フレーム１０１は、磁気ディスク装置２００を収納する取付構造１００の基本的な構造部分を占めている。フレーム１０１には、磁気ディスク装置２００を取付構造１００に押し込むときにハウジングの底部を滑らせていく１対のレール１０４ａ、１０４ｂ（図１参照）が形成されている。レール１０４ａ、１０４ｂは、取付構造１００内における磁気ディスク装置２００の上下方向または磁気ディスク２０５に垂直な方向の位置を定めるガイドとなる。フレーム１０１の両側には、側壁１０２ａ、１０２ｂが立ち上がっている。フレーム１０１の底部には、試験用チャンバにダンパで固定するためのダンパ取付孔１２１ａ、１２１ｂが形成され、さらに周囲の一部を切り欠いたダンパ取付孔１２１ｃが形成されている。
【００１９】
側壁１０２ａ、１０２ｂには、クランパ・ガイド１３３ａ、１３３ｂと、側壁貫通開口１３１ａ、１３１ｂが形成されている。クランパ・ガイド１３３ａ、１３３ｂにはクランパ１０７ａ、１０７ｂが挿入され、クランパ１０７ａ、１０７ｂは上部からスプリング１０９ａ、１０９ｂ、１０９ｃ、１０９ｄで下向きに弾力が加えられている。クランパ１０７ａ、１０７ｂの底部は、側壁１０２ａ、１０２ｂを貫通してレバー１１１のボディ１３７に形成されたレバー貫通開口１１４ａ、１１４ｂに係合する。この構造は、図４を参照して後に詳しく説明する。
【００２０】
側壁１０２ａ、１０２ｂの内面は、取付構造１００内における磁気ディスク装置２００の左右方向または磁気ディスク２０５に平行な方向の位置を定めるガイドとなる。側壁１０２ａ、１０２ｂの上部には、１対の上部枠１０３ａ、１０３ｂが取り付けられており、上部枠１０３ａ、１０３ｂはスプリング１０９ａ、１０９ｂ、１０９ｃ、１０９ｄを上から押さえてクランパ１０７ａ、１０７ｂからの反力を受け止める。
【００２１】
上部枠１０３ａ、１０３ｂはネジ１１７ａ、１１７ｂ、１１７ｃ、１１７ｄにより側壁１０２ａ、１０２ｂにそれぞれ固定される。プッシャ１０５は図３に示すように、両端にプッシャ貫通開口１１９ａ、１１９ｂが形成され、プッシャ貫通開口１１９ａ、１１９ｂは、側壁１０２ａ、１０２ｂに形成された側壁貫通開口１３１ａ、１３１ｂに位置合わせされる。図３には、側壁１０２ａ、１０２ｂを縦方向に貫通する側壁貫通開口１３１ａ、１３１ｂの上にプッシャ１０５が置かれている状態が示されている。
【００２２】
プッシャ貫通開口１１９ａ、１１９ｂと側壁貫通開口１３１ａ、１３１ｂは位置が整合しており、両者を下からレバーの係合部１１２ａ、１１２ｂが貫通している。したがって、レバーの係合部１１２ａ、１１２ｂが側壁貫通開口１３１ａ、１３１ｂをスライドするとき、係合部１１２ａ、１１２ｂがプッシャ貫通開口１１９ａ、１１９ｂの縁に当たった後は、プッシャ１０５も係合部１１２ａ、１１２ｂと同じ方向にスライドする。
【００２３】
図２に戻ってフレーム１０１の下面には、カバー１１３との間にレバー１１１が配置され、カバー１１３がネジ１１５ａ、１１５ｂ、１１５ｃ、１１５ｄ、１１５ｅ、１１５ｆでフレーム１０１に固定されている。レバー１１１の把持部１３５を操作することによりボディ１３７がフレーム１０１の底面とカバー１１３との間で図１の矢印２０２の方向または２０４の方向に移動させることができる。カバー１１３には、レバー１１１の把持部１３５の下面に位置するレバー位置指示部１１６が形成されている。レバー１１１のボディ１３７には、レバー貫通開口１１４ａ、１１４ｂと上部に突き出て側壁貫通開口１３１ａ、１３１ｂを貫通する係合部１１２ａ、１１２ｂが形成されている（図３も参照）。
【００２４】
図４を参照してクランパ１０７ａ、１０７ｂとレバー１１１の動作関係をクランパ１０７ａを例にして説明する。クランパ１０７ａは、底部に１対の傾斜部１４１が形成されており、側壁１０２ａに形成されたクランパ・ガイド１３３ａを貫通して、レバー１１１のボディ１３７に形成されたレバー貫通開口１１４ａと係合する構成になっている。クランパ１０７ａは、スプリング１０９ａ、１０９ｃで下向きに弾力が付与されているため、傾斜部１４１がレバー貫通開口１１４ａの中に入る位置にボディ１３７があるときは下側に下降する。ボディ１３７が移動して傾斜部１４１がレバー貫通開口１１４ａの縁に接触した後さらにボディ１３７が同一方向に移動するときは、ボディ１３７の縁が傾斜部１４１に上向きの力を与え、この力がスプリング１０９ａ、１０９ｃの弾力にうち勝って、クランパ１０７ａは上昇する。すなわち、図４に示した構造では、ボディ１３７が矢印Ａ方向に移動するとき、クランパ１０７ａは矢印Ｂで示した上下方向に移動する。
【００２５】
図５は、取付構造１００に磁気ディスク装置２００が収納され、固定されている状態を示している。図５（Ａ）では、磁気ディスク装置２００が点線で示されている。磁気ディスク装置２００は、ハウジングがレール１０４ａ、１０４ｂの上に載り、ハウジングの端部がクランパ１０７ａ、１０７ｂで固定されている。図５（Ｂ）に誇張して示すように、側壁１０２ａ、１０２ｂの内面間の間隔は、磁気ディスク装置２００のハウジングの幅より約１ミリメートル程度大きくなっている。
【００２６】
これは、磁気ディスク装置２００の取付構造１００の中への挿入を容易にするためである。クランパ１０７ａ、１０７ｂはレバー１１１の操作により上下（矢印Ｂ方向）に移動する。クランパ１０７ａ、１０７ｂには、ハウジングの端部を押し付けるあご部１３９ａ、１３９ｂがそれぞれ形成されている。あご部１３９ａは傾斜面で構成され、あご部１３９ｂは、磁気ディスク２０５（図１参照）に平行な面で構成されている。取付構造１００の中に挿入された磁気ディスク装置２００に対してクランパ１０７ａ、１０７ｂを降下させるとき、あご部１３９ａはハウジングの角２０３ａ（図１参照。）に対して矢印Ｃおよび矢印Ｄ方向の力を与え、あご部１３９ｂはハウジングの上面２０３ｂ（図１参照）に対して矢印Ｄ方向の力を与える。
【００２７】
磁気ディスク装置２００が取付構造１００で固定されるときは、あご部１３９ａと側壁１０２ｂの内面との間で左右方向に固定され、あご部１３９ａ、１３９ｂ、レール１０４ａ、１０４ｂで上下方向に固定される。このような構造を採用することにより、磁気ディスク装置２００を短時間に取付構造１００の中に挿入し、確実にフレーム１０１に対して固定することができる。
【００２８】
図６を参照して、カバー１１３に形成されたレバー位置指示部１１６の作用を説明する。図６（Ａ）は、把持部１３５を正面からみた図であり、図６（Ｂ）は、クランパ１０７ａ、１０７ｂを固定位置に移動させたときの把持部１３５をレバー位置指示部１１６側から見た図であり、図６（Ｃ）は、クランパを開放位置に移動させたときの把持部１３５をレバー位置指示部１１６側から見た図である。レバー位置指示部１１６に対してレバー１１１がスライドするとき、レバー位置指示部１１６と把持部１３５の位置関係を知ることで、クランパに対してレバー１１１が固定位置にあるか開放位置にあるかを容易に確認することができる。またレバー位置指示部１１６は空間に突き出た把持部１３５の下部を支えるように形成されており、把持部１３５を支持する機能も有している。
【００２９】
つぎに図７を参照して取付構造１００に磁気ディスク装置２００を取り付けさらに取り外すときの取付構造１００の動作について説明する。図７は、動作説明のために簡略化した図面であり、取付構造１００としてレバー１１１と、クランパと一体になって動作するものとして描いたプッシャ１０５と、クランパ１０７ｂだけを示している。磁気ディスク装置２００のインターフェース・コネクタ２２１はハウジングの磁気ディスク２０５の表面に垂直な面側に取り付けられている。
【００３０】
回路基板１２３に取り付けられた、装置用コネクタ１２５は、インターフェース・コネクタ２２１に対する位置合わせガイドを備え、磁気ディスク装置２００をインターフェース・コネクタ２２１の方向に押し込むと装置用コネクタとの間で微細な位置が整合して接続できる構成になっている。磁気ディスク装置２００を取付構造１００に取り付けるときは、最初にレバー１１１の把持部１３５を引き出して、傾斜部１４１をボディ１３７の上に乗り上げさせてクランパ１０７a、１０７ｂを開放位置にしておく（図７（Ａ）参照）。
【００３１】
磁気ディスク装置２００のハウジングの底部をレール１０４ａ、１０４ｂの上に載せ、磁気ディスク装置２００に力を加えてインターフェース・コネクタを先頭にして押し込んでいくと、磁気ディスク装置２００は、レール１０４ａ、１０４ｂ、側壁１０２ａ、１０２ｂに位置がガイドされ、やがてインターフェース・コネクタ２２１と装置用コネクタ１２５の接続を確認することができる（図７（Ｂ））。磁気ディスク装置２００の試験を行うときに、コネクタの接続が完全でないと適切な試験を行うことができないが、コネクタ同士の接続作業は何らかの部材を介して行うのではなく操作者が直接磁気ディスク装置２００を把持して行うため確実に行うことができる。
【００３２】
このとき、クランパ１０７ａ、１０７ｂの傾斜部１４１は一部がレバー貫通開口１１４ａ、１１４ｂの中に一部入り込んで、クランパ１０７ａ、１０７ｂはわずかに下降するが、あご部１３９ａ、１３９ｂはハウジングに接触してこれを固定する固定位置までは下降していないので、磁気ディスク装置２００の挿入作業の妨げになることはない。つづいて、把持部１３５を押してクランパ１０７ａ、１０７ｂの傾斜部１４１が完全にレバー貫通開口１１４ａ、１１４ｂの中に入るようにボディ１３７を押し込む（図７（Ｃ）参照）。この状態で、クランパ１０７ａ、１０７ｂは最も低い位置まで下降してあご部１３９ａ、１３９ｂがハウジングの端部を固定する。ハウジングの端部は強く押し付けても磁気ディスク装置の内部部品を損傷したりすることがないので固定場所として有効である。
【００３３】
磁気ディスク装置２００を取付構造１００から取り出すときは、最初に把持部１３５を引き出して図７（Ｂ）のようにクランパ１０７ａ、１０７ｂが磁気ディスク装置２００を開放する開放位置までボディ１３７を移動させる。さらに把持部１３５を引き出すと、プッシャ１０５が磁気ディスク装置の端部２０１を押して磁気ディスク装置２００は把持部１３５側に引き出される。このとき、クランパ１０７ａ、１０７ｂの傾斜部１４１はレバー貫通開口１１４ａ、１１４ｂの縁部に接触して、クランパ１０７ａ、１０７ｂはわずかに下降しているが、把持部１３５を引き出すとあご部１３９ａ、１３９ｂはさらに上昇するので、磁気ディスク装置２００の引出作業の妨げになることはない。
【００３４】
図８は、取付構造１００をセル状に配列した試験用チャンバ３００の外形図である。試験用チャンバ３００の中には、図８（Ａ）に示すように固定フレーム３０３に多数の取付構造１００が固定されている。図８（Ｂ）は、取付構造１００のフレームを固定フレーム３０３に固定する部分の拡大した断面図である。フレーム１０１に形成されたダンパ取付孔１２１ａには、ダンパ３０５が納められている。ダンパ３０５は、ゴムなどの弾性体がスリーブ３０９の周りを包んでいる。ボルト３１１およびナット３１３で固定構造１００のフレーム１０１を試験用チャンバ３００の固定フレーム３０３に固定すると、固定フレーム３０３とフレーム１０１の間を伝達する振動が減衰する。
【００３５】
したがって、チャンバ３００のように多数の取付構造１００を収納して磁気ディスク装置２００の試験を行うような場合、固定フレーム３０３を伝わって個々の磁気ディスク装置２００に振動が伝わったり、個々の磁気ディスク装置から固定フレーム３０３に振動を伝えたりすることが少なくなる。試験用チャンバ３００には、磁気ディスク装置を試験するための試験用コンピュータが接続される。
【００３６】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【産業上の利用可能性】
【００３７】
本実施の形態にかかる取付構造１００は、磁気ディスク装置などの回転円板形記憶装置を容易に着脱できるように固定する用途に適する。
【図面の簡単な説明】
【００３８】
【図１】本発明の実施の形態にかかる取付構造およびこれに取り付けられる磁気ディスク装置の斜視図である。
【図２】取付構造の分解斜視図である。
【図３】プッシャの平面図である。
【図４】クランパとレバーの動作関係を説明する図である。
【図５】クランパが磁気ディスク装置を固定する状態を説明する図である。
【図６】レバー・サポートの作用を説明する図である。
【図７】取付構造の動作を説明するための模式的な図である。
【図８】試験用チャンバの外形図である。
【符号の説明】
【００３９】
１００  取付構造
１０１  フレーム
１０２ａ、１０２ｂ  側壁
１０３ａ、１０３ｂ  上部枠
１０４ａ、１０４ｂ  レール
１０５  プッシャ
１０７ａ、１０７ｂ  クランパ
１０９ａ、１０９ｂ、１０９ｃ、１０９ｄ  スプリング
１１１  レバー
１１２ａ、１１２ｂ  係合部
１１３  カバー
１１４ａ、１１４ｂ  レバー貫通開口
１１５ａ、１１５ｂ、１１５ｃ、１１５ｄ  ネジ
１１６  レバー位置指示部
１１７ａ、１１７ｂ、１１７ｃ１１７ｄ  ネジ
１１９ａ、１１９ｂ  プッシャ貫通開口
１２１ａ、１２１ｂ、１２１ｃ  ダンパ取付孔
１２３  回路基板
１２５  装置用コネクタ
１２７  プラグ
１２９  配線
１３１ａ、１３１ｂ  側壁貫通開口
１３３ａ、１３３ｂ  クランパ・ガイド
１３５  把持部
１３７  ボディ
１３９ａ、１３９ｂ  あご部
１４１  傾斜部
２００  磁気ディスク装置
２０３ａ、２０３ｂ  ハウジングの固定部
２０５  磁気ディスク
２２１  インターフェース・コネクタ
３００  試験用チャンバ
３０３  固定フレーム
３０５  ダンパ
３０７  弾性体
３０９  スリーブ
３１１  ボルト
３１３  ナット
【図１】
2006172675.tif 000003
【図２】
2006172675.tif 000004
【図３】
2006172675.tif 000005
【図４】
2006172675.tif 000006
【図５】
2006172675.tif 000007
【図６】
2006172675.tif 000008
【図７】
2006172675.tif 000009
【図８】
2006172675.tif 000010